(57)【要約】【課題】画像形成装置等の電子機器に近接する領域で物体の有無を検知しつつ、電子機器から離れた位置の物体も検知して、検知された物体が侵入者か否かを的確に判断する。【課題を解決するための手段】画像形成装置１では、タイマー８０により計時される時刻が上記予め定められた時間帯を示すとき（Ｓ１でＹＥＳ）、画像形成装置１から離れた領域を検知対象とする第１検知センサー５０Ａによる対象物の検知に基づいて、第１検出部１０２により室内が無人状態であるか否かが判断される（Ｓ３，Ｓ５）。第２検出部１０３は、上記時間帯において、第１検知センサー５０Ａが一旦対象物を非検知とする状態になってから（Ｓ３でＹＥＳ）、第１検知センサー５０Ａが対象物を検知する状態になった場合に（Ｓ５でＹＥＳ）、侵入者が存在すると判断する（Ｓ７）。【選択図】図４
2014123928.tif 000002
【特許請求の範囲】
【請求項１】
当該電子機器が設置されている室内を俯瞰して、当該電子機器から離れた領域を検知領域として物体を検知する第１検知センサーと、
当該電子機器に対して前記離れた領域よりも近い領域であって、当該電子機器の近接領域を検知領域として物体を検知する第２検知センサーと、
時刻を計時する計時部と、
当該電子機器を、通常動作可能な通常動作モードと、省電力のために一時停止状態にするスリープモードとに切り替え可能とし、スリープモード時に前記第２センサーが物体を検知したときに、当該電子機器の状態を通常動作モードに切り替えるモード切替部と、
前記計時部により計時される時刻が予め定められた時間帯を示す時刻であるときに、前記第１検知センサーが物体を非検知の状態となったときに、当該電子機器が設置されている室内が無人状態であると検出する第１検出部とを備える電子機器。
【請求項２】
前記計時部により計時される時刻が予め定められた時間帯を示す時刻であるときに、前記第１検知センサーが物体を非検知の状態となった後、前記第１検知センサーが物体を検知する状態となった場合に、侵入者が存在すると検出する第２検出部を更に備える請求項１に記載の電子機器。
【請求項３】
前記モード切替部は、前記計時部により計時される時刻が予め定められた時間帯を示す時刻であるときに当該電子機器を前記スリープモードとし、当該時間帯において、前記第１検知センサーが物体を検知することなく、前記第２検知センサーが物体を検知した場合には、当該電子機器を前記通常動作モードに切り替えず前記スリープモードを維持する請求項１又は請求項２に記載の電子機器。
【請求項４】
前記第２検出部は、侵入者が存在すると検出したときに、当該電子機器にネットワーク接続された監視ユニットとしての制御装置に対して、侵入者の存在を示す情報を送信する請求項２又は請求項３に記載の電子機器。
【請求項５】
前記第１検出部は、当該電子機器にネットワーク接続して、制御対象とする電子装置の駆動又は非駆動を切替制御する制御装置と通信し、前記無人状態を検出したときは、前記電子装置を非駆動にする指示を前記制御装置に送信する請求項１乃至請求項４のいずれかに記載の電子機器。
【請求項６】
前記第１及び第２検知センサーは、焦電型赤外線センサーである請求項１乃至請求項５のいずれかに記載の電子機器。
【請求項７】
請求項５又は請求項６に記載の電子機器を複数備え、当該複数の電子機器に接続する前記制御装置を更に備える制御システムであって、
前記制御装置は、前記複数の電子機器のうち、予め定められた台数の電子機器から、前記制御対象とする電子装置を非駆動にする指示を受信したときに、前記制御対象とする電子装置を非駆動にする制御システム。
【請求項８】
請求項１乃至請求項６のいずれかに記載の電子機器であって、
記録媒体に対して画像形成を行う画像形成部を更に備えた画像形成装置。
【発明の詳細な説明】
【技術分野】
【０００１】
本発明は、電子機器、制御システム、及び画像形成装置に関する。
【背景技術】
【０００２】
従来、室内への侵入者を監視して、侵入者を検知した場合に、外部装置に通報する監視装置が提案されている。例えば、下記特許文献１には、画像形成装置が侵入者監視モードに設定されている状態で、人体検知手段によって人体の存在が検知されたときに、侵入者監視手段が、警備会社等に設置された外部装置に当該人体の検知を通報する画像形成装置が示されている。
【先行技術文献】
【特許文献】
【０００３】
【特許文献１】特開平８−７７４６７号公報
【発明の概要】
【発明が解決しようとする課題】
【０００４】
しかしながら、画像形成装置等の電子機器に人体検知のために設けられるセンサーは、画像形成装置を、省電力のために各動作機構を一時停止状態にするスリープモードと、各動作機構を即座に動作可能な状態で待機させる通常動作モードとを切り替えるために人体を検知するものであるため、主に画像形成装置に近接する領域を人体有無の検知領域とする。このようなセンサーは、画像形成装置から離れた位置にある人体の検知には不向きであるため、侵入者監視用のセンサーとしては性能が不十分であり、画像形成装置が設置されている室内における人体の有無を的確に検知できない虞がある。
【０００５】
本発明は、上記の問題を解決するためになされたもので、電子機器に近接する領域における物体の有無を検知しつつ、電子機器から離れた位置にある物体も検知して、電子機器が設置されている室内における人体の有無を的確に検知することを目的とする。
【課題を解決するための手段】
【０００６】
本発明の一局面に係る電子機器は、当該電子機器が設置されている室内を俯瞰して、当該電子機器から離れた領域を検知領域として物体を検知する第１検知センサーと、当該電子機器に対して前記離れた領域よりも近い領域であって、当該電子機器の近接領域を検知領域として物体を検知する第２検知センサーと、時刻を計時する計時部と、当該電子機器を、通常動作可能な通常動作モードと、省電力のために一時停止状態にするスリープモードとに切り替え可能とし、スリープモード時に前記第２センサーが物体を検知したときに、当該電子機器の状態を通常動作モードに切り替えるモード切替部と、前記計時部により計時される時刻が予め定められた時間帯を示す時刻であるときに、前記第１検知センサーが物体を非検知の状態となったときに、当該電子機器が設置されている室内が無人状態であると検出する第１検出部とを備えるものである。
【発明の効果】
【０００７】
本発明によれば、電子機器に近接する領域における物体の有無を検知しつつ、電子機器から離れた位置にある物体も検知して、電子機器が設置されている室内における人体の有無を的確に検知することが可能である。
【図面の簡単な説明】
【０００８】
【図１】本発明の一実施形態に係る電子機器としての画像形成装置の構造を示す正面断面図である。
【図２】第１及び第２検知センサーによる検知領域を示す図である。
【図３】画像形成装置の主要内部構成を示す機能ブロック図である。
【図４】画像形成装置、制御対象とする電子装置、及び制御装置のネットワーク網を示す図である。
【図５】画像形成装置における侵入者の検知処理を示すフローチャートである。
【図６】制御装置が、制御対象とする電子装置を非駆動にする上記指示を画像形成装置から受信した場合における制御の他の実施形態を示すフローチャートである。
【発明を実施するための形態】
【０００９】
以下、本発明の一実施形態に係る電子機器について図面を参照して説明する。図１は、本発明の一実施形態に係る電子機器としての画像形成装置の構造を示す正面断面図である。図２は第１及び第２検知センサーによる検知領域を示す図である。
【００１０】
本発明の一実施形態に係る画像形成装置１は、例えば、コピー機能、プリンター機能、スキャナー機能、およびファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１１】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１２】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１３】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部（印刷部）１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１４】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００１５】
給紙部１４は、複数の給紙カセットを備える。制御部１００（図２）は、操作者による指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００１６】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００１７】
画像形成装置１の前面の適当な箇所、例えば画像形成装置１の設置床から50〜60cmの高さで画像形成装置１の前面の左右中央位置に、画像形成装置１の操作者を対象物の物体として検知する第１検知センサー５０Ａ，第２検知センサー５０Ｂが設置されている。
【００１８】
例えば、第１検知センサー５０Ａ，第２検知センサー５０Ｂは、焦電型赤外線センサー（図略）及びその制御基板（図略）から構成される。焦電型赤外線センサーは、焦電効果を有する基板表面に電極を有する焦電素子を備え、この焦電素子を用いて予め定められた検知領域内の対象物(人又は物体)の検知を行う。焦電型赤外線センサーは、強誘電体等からなる焦電体基板と、該焦電体基板の両面に対向して設けられた電極とを有する焦電素子を備え、人体の動作により発生した赤外線を焦電素子の受光部に例えばフレネルレンズを用いて集光させ、赤外線の変化に応じて生じる焦電素子の分極による信号を電圧信号に変換し、所定の処理を経た当該電圧信号が閾値との比較でコンパレータによりハイレベル又はローレベルとなる場合に、対象物を検知したものとして、当該ハイレベル又はローレベルを示す信号を出力する。
【００１９】
第１検知センサー５０Ａは、上記フレネルレンズにより検知領域が調整され、図２に示すように、画像形成装置１から離れた領域、例えば画像形成装置１の前面から10〜20m離れた位置を検知領域として対象物を検知する。
【００２０】
同じく図２に示すように、第２検知センサー５０Ｂは、上記フレネルレンズによる検知領域の調整で、画像形成装置１の近接領域、例えば、画像形成装置１の前面から約1mまでの領域を検知領域として対象物を検知する。第２検知センサー５０Ｂは、画像形成装置１に接近してくる物体（人体等）を検知対象物とする。
【００２１】
但し、第１検知センサー５０Ａ，第２検知センサー５０Ｂは、焦電型赤外線センサーに限られず、人体検知が可能な他のセンサーでも適用が画像形成装置１に可能である。例えば、第１検知センサー５０Ａ，第２検知センサー５０Ｂとしては、画像形成装置１からその前方領域に向けて光を照射する発光部と、当該発光部から照射された光が人体で反射した反射光を受光する受光部とを備え、当該受光部による反射光の受光時に人体が存在するとして検知信号を出力する光センサーであっても構わない。
【００２２】
この場合、第１検知センサー５０Ａには、画像形成装置１から上記離れた領域まで上記発光が可能であり、当該領域にある対象物からの反射光を受光可能な性能を有する光センサーが用いられる。また、第２検知センサー５０Ｂには、上記近接領域までで発光及び対象物からの反射光の受光が可能な性能を有する光センサーが用いられる。
【００２３】
次に、画像形成装置１の構成を説明する。図３は画像形成装置１の主要内部構成を示す機能ブロック図である。
【００２４】
画像形成装置１は、制御ユニット１０、操作部４７、原稿給送部６、原稿読取部５、画像メモリー３２、画像形成部１２、定着部１３、駆動モーター７０、ファクシミリ通信部７１、ネットワークインターフェイス部９１、及びＨＤＤ９２等を備える。
【００２５】
原稿読取部（データ取得部）５は、制御ユニット１０による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２６】
画像メモリー３２は、原稿読取部５による読取で得られた原稿画像のデータを一時的に記憶したり、画像形成部１２のプリント対象となるデータを一時的に保存する領域である。
【００２７】
ファクシミリ通信部７１は、図略の符号化／復号化部、変復調部及びＮＣＵ（Network Control Unit）を備え、公衆電話回線網を用いてのファクシミリの送信を行うものである。
【００２８】
ネットワークインターフェイス部９１は、ＬＡＮボード等の通信モジュールから構成され、当該ネットワークインターフェイス部９１に接続されたＬＡＮ等を介して、ローカルエリア内又はインターネット上のコンピューター２０等と種々のデータの送受信を行う。
【００２９】
ＨＤＤ９２は、原稿読取部５によって読み取られた原稿画像等を記憶する大容量の記憶装置である。
【００３０】
駆動モーター７０は、画像形成部１２の各回転部材及び搬送ローラー対１９等に回転駆動力を付与する駆動源である。
【００３１】
タイマー８０は、時刻を計時する計時部である。
【００３２】
上述した第１検知センサー５０Ａ，第２検知センサー５０Ｂも、制御ユニット１０に接続されている。
【００３３】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、制御部１００、モード切替部１０１、第１検出部１０２、及び第２検出部１０３を備える。
【００３４】
制御部１００は、操作部４７、原稿給送部６、原稿読取部５、画像メモリー３２、画像形成部１２、定着部１３、駆動モーター７０、ファクシミリ通信部７１、ネットワークインターフェイス部９１、ＨＤＤ９２、タイマー８０，及び第１検知センサー５０Ａ，第２検知センサー５０Ｂ等と接続され、これら各部の制御を行う。
【００３５】
モード切替部１０１は、画像形成装置１を、各動作機構を即座に動作可能な状態で待機させる通常動作モードと、省電力のために各動作機構を一時停止状態にするスリープモードとに切り替え可能とし、スリープモード時に前記第２センサーが物体を検知したときに、画像形成装置１の状態を通常動作モードに切り替える。
【００３６】
第１検出部１０２は、タイマー８０により計時される時刻が予め定められた時間帯、例えば、19時から8時の夜間時間帯を示す時刻であるときに、第１検知センサー５０Ａが対象物を検知としているか否かを判断し、当該時間帯において、第１検知センサー５０Ａが物体を検知しない状態になったとき、画像形成装置１が設置されている室内が無人状態であると検出する。
【００３７】
第１検出部１０２は、制御装置６０（図４）との間でネットワークインターフェイス部９１を介して通信を行う。制御装置６０は、画像形成装置１とネットワーク接続され、画像形成装置１が設置されている室内に配備されている室内照明、空気調和装置（エアコン）等、制御対象とする電子装置の駆動又は非駆動を切替制御する。第１検出部１０２は、タイマー８０により計時される時刻が上記予め定められた時間帯であるときに、第１検知センサー５０Ａが対象物を非検知の状態となった時点で、すなわち、上記無人状態を検出したときに、上記制御対象とする電子装置を非駆動にする指示を制御装置６０に送信する。
【００３８】
第２検出部１０３は、タイマー８０により計時される時刻が上記予め定められた時間帯を示す時刻であるときに、第１検知センサー５０Ａが物体を検知しない状態になった後、第１検知センサー５０Ａが物体を検知する状態に復帰した場合に、侵入者が存在すると検出する。
【００３９】
第２検出部１０３は、侵入者が存在すると検出したときに、画像形成装置１にネットワーク接続された制御装置６０に対して、ネットワークインターフェイス部９１を介して、侵入者の存在を示す情報を送信する。制御装置６０は、画像形成装置１とは別個に、離れた位置に設置されている。制御装置６０は、監視ユニットとして、当該情報の受信を受けると、警報の発呼、管理者へのメール送信等による通報等を行う。
【００４０】
次に、画像形成装置１、上記制御対象とする電子装置、及び制御装置６０のネットワーク網を説明する。図４は、画像形成装置１、上記制御対象とする電子装置、及び制御装置６０のネットワーク網を示す図である。
【００４１】
制御システム３０は、画像形成装置１と制御装置６０を備える。画像形成装置１の台数は特に限定されないが、本実施形態では、3台の場合を例にして説明する。
【００４２】
制御装置６０は、信号線により、各画像形成装置１と、空気調和装置３と、室内照明２とにネットワーク接続されている。空気調和装置３及び室内照明２の台数は特に限定されないが、本実施形態では、それぞれ2台の場合を例にして説明する。それぞれの画像形成装置１、空気調和装置３、及び室内照明２は、商用電源に接続され、当該商用電源から電力の供給を受ける。また、それぞれの画像形成装置１、空気調和装置３、及び室内照明２は、制御装置６０からの制御信号に従って商用電源からの電力供給を受けるか否かを切り替え可能な電源制御部を備えている。
【００４３】
制御装置６０は、画像形成装置１、空気調和装置３、及び室内照明２に対して、それぞれ信号線Ｌ１，Ｌ２，Ｌ３で接続されている。
【００４４】
次に、画像形成装置１における侵入者の検知処理を説明する。図５は画像形成装置１における侵入者の検知処理を示すフローチャートである。
【００４５】
画像形成装置１の起動中は、制御部１００による制御の下で、タイマー８０による現在時刻の計時、第１検知センサー５０Ａ及び第２検知センサー５０Ｂによる対象物の検知が開始される。モード切替部１０１は、タイマー８０により上記予め定められた時間帯を示す時刻、例えば、19時から8時の夜間時間帯の開始時刻である19時を示す時刻が計時されているか否かを判断する（Ｓ１）。
【００４６】
なお、タイマー８０により上記時刻が計時されるまでは（Ｓ１でＮＯ）、モード切替部１０１は、所定時間（例えば、5分間）操作者によりジョブが受け付けられない場合に、画像形成装置１を通常動作モードからスリープモードに切り替え、スリープモード時に第２検知センサー５０Ｂが物体を検知したときに、画像形成装置１の状態を通常動作モードに切り替える制御を行っている。
【００４７】
モード切替部１０１は、タイマー８０により上記時刻が計時されたと判断した場合（Ｓ１でＹＥＳ）、画像形成装置１をスリープモードに切り替える（Ｓ２）。この後、第１検出部１０２は、第１検知センサー５０Ａから対象物を検知しないことを示す対象物非検知信号が送信されてくるのを待機する（Ｓ３，Ｓ３でＮＯ）。第１検出部１０２は、第１検知センサー５０Ａから対象物非検知信号を受信した場合（Ｓ３でＹＥＳ）、これら画像形成装置１の設置されている室内が無人状態になったと検出し、制御対象とする電子装置としての上記複数の空気調和装置３及び室内照明２を非駆動にする指示を制御装置６０に送信する（Ｓ４）。
【００４８】
このとき、制御装置６０は、画像形成装置１から、制御対象とする電子装置を非駆動にする上記指示を受信すると、空気調和装置３及び室内照明２に対して、電力供給を停止させる指示からなる制御信号を送信する。これにより、空気調和装置３及び室内照明２の電源制御部に、商用電源から電力供給を受けることを停止させる。
【００４９】
そして、第２検出部１０３は、上記のようにタイマー８０により予め定められた時間帯が計時され、第１検知センサー５０Ａが対象物を非検知としている状態となった後、第１検知センサー５０Ａから対象物を検知したことを示す対象物検知信号を受信した場合は（Ｓ５でＹＥＳ）、侵入者が存在すると判断し、侵入者が存在することを示す情報を制御装置６０に送信する（Ｓ７）。
【００５０】
一方、第１検知センサー５０Ａが対象物を検知しない状態では（Ｓ５でＮＯ）、タイマー８０が、上記予め定められた時間帯外の時刻、例えば、当該予め定められた時間帯としての19時から8時の夜間時間帯の終了時刻、8時00分1秒を計時するまで、第１検知センサー５０Ａによる対象物の検知が続けられる（Ｓ６でＮＯ，Ｓ５）。そして、タイマー８０が、上記予め定められた時間帯外の時刻を計時した場合は（Ｓ６でＹＥＳ）、当該侵入者の検知処理を終了する。
【００５１】
この侵入者の検知処理によれば、タイマー８０により計時される時刻が上記予め定められた時間帯を示すとき、画像形成装置１から離れた領域を検知対象とする第１検知センサー５０Ａによる対象物の検知に基づいて、第１検出部１０２により、画像形成装置１の設置されている室内が無人状態になったか否かが検出される。このため、画像形成装置１の設置されている室内における広い領域で人体を対象物として検知可能である。これにより、第２検知センサー５０Ｂにより画像形成装置１に近接する領域における物体の有無を検知しつつ、画像形成装置１から離れた位置にある物体も第１検知センサー５０Ａにより検知して、画像形成装置１が設置されている室内における人体の有無を的確に検知することが可能になる。
【００５２】
また、第２検出部１０３は、上記時間帯において、第１検知センサー５０Ａが当初は対象物を検知していても即座に侵入者とは判断せず、その後に、第１検知センサー５０Ａが一旦対象物を非検知とする状態に一旦なってから、第１検知センサー５０Ａが対象物を検知する状態に復帰した場合に、画像形成装置１が設置されている室内に侵入者が存在すると判断する。これにより、第１検知センサー５０Ａにより検知された対象物が侵入者である蓋然性が高い状態を的確に判別し、当該対象物が侵入者か否かを精度よく検出することが可能になる。
【００５３】
また、第２検出部１０３は、侵入者が存在すると検出したときに、侵入者が存在することを示す情報を制御装置６０に送信するので、制御装置６０では、当該情報に基づいて、侵入者の存在に対応する制御、警報の発呼や、管理者又は監視を行う中央監視室への通報等を行うことが可能になる。さらには、制御装置６０は、画像形成装置１が設置されている室内への入退室管理システムに通報を行うことにより、当該入退室管理システムによる侵入者の検知精度を向上させることが可能になる。
【００５４】
また、第１検出部１０２は、上記時間帯において、第１検知センサー５０Ａから対象物非検知信号を受信して、画像形成装置１が設置されている室内から全ての人が退出した蓋然性の高い状態となったときに、当該室内無人状態であると検出し、制御対象とする電子装置としての空気調和装置３及び室内照明２を非駆動にする指示を制御装置６０に送信するので、制御装置６０においては、空気調和装置３及び室内照明２の電源制御部に、電力供給をさせる制御信号を送信して、空気調和装置３及び室内照明２の電源制御部に、商用電源から電力供給を受けることを停止させる等の制御が可能になる。これにより、画像形成装置１が設置されている室内において、空気調和装置３及び室内照明２の電源の切り忘れを防止することが可能になる。
【００５５】
なお、上記侵入者の検知処理においては、次に示す処理を並行して行うようにしてもよい。
【００５６】
図５に示した処理では、上記予め定められた時間帯において、第１検知センサー５０Ａが対象物を非検知の状態となった後は（Ｓ３でＹＥＳ）、モード切替部１０１は、画像形成装置１をスリープモードとしているが（Ｓ２）、この状態において、第１検知センサー５０Ａが画像形成装置１から離れた領域における対象物を非検知のまま、第２検知センサー５０Ｂが画像形成装置１に近接する領域における対象物を検知した場合には、モード切替部１０１は、画像形成装置１を通常動作モードに切り替えずスリープモードのままで維持する。この制御によれば、上記時間帯において、第１検知センサー５０Ａにより対象物が検知されておらず、例えば、小動物や、塵等の浮遊物などの物体ＳＡ（図２）が第２検知センサー５０Ｂの検知領域に進入して、第２検知センサー５０Ｂにより検知される場合には、第２検知センサー５０Ｂにより検知された物が小動物や塵等であって人ではないとして、スリープモードのままとし、省電力状態を維持することが可能になる。
【００５７】
なお、制御装置６０が、画像形成装置１から、制御対象とする電子装置を非駆動にする上記指示を受信した場合における制御は、上記侵入者の検知処理で示した制御の他、図６に示すようにしてもよい。図６は、制御装置６０が、制御対象とする電子装置を非駆動にする上記指示を画像形成装置１から受信した場合における制御の他の実施形態を示すフローチャートである。
【００５８】
制御装置６０が、いずれかの画像形成装置１から、制御対象とする電子装置を非駆動にする上記指示を受信した場合（Ｓ１１でＹＥＳ）、この時点で受信している当該指示が、予め定められた台数、例えば、ネットワーク接続されている画像形成装置１の全台数からのものであるかを判断する（Ｓ１２）。
【００５９】
このとき、制御装置６０は、上記予め定められた台数から上記指示を受信するに到っていると判断した場合に（Ｓ１２でＹＥＳ）、空気調和装置３及び室内照明２の電源制御部に、電力供給を停止させる制御信号を送信して（Ｓ１３）、空気調和装置３及び室内照明２が商用電源から電力供給を受けることを停止させる。
【００６０】
この制御によれば、上記時間帯に、複数の画像形成装置１が設置されている室内から人が全て退出した蓋然性が高い状態を更に的確に判別して、空気調和装置３及び室内照明２の電源の切り忘れを防止することが可能になる。
【００６１】
なお、本発明は上記実施の形態の構成に限られず種々の変形が可能である。例えば、制御システム３０では、その制御装置６０が、画像形成装置１から制御対象とする電子装置を非駆動にする上記指示を受信した場合、空気調和装置３及び室内照明２の電源制御部に制御信号を送信して、空気調和装置３及び室内照明２が商用電源から電力供給を受けることを停止させるが、制御システム３０が備える画像形成装置１のうち、1台を残して他の画像形成装置１にも制御信号を送信して、その制御部１００に、画像形成装置１が商用電源から電力供給を受けることを停止させるようにしてもよい。この場合、当該他の画像形成装置１は、制御装置６０による制御を受ける電子装置の一例となる。
【００６２】
また、上記実施形態では、本発明に係る電子機器として、複合機からなる画像形成装置１を一実施形態としているが、これは一例に過ぎず、他の画像形成装置、例えば、プリンター、コピー機、ファクシミリ装置等の他の画像形成装置でもよいし、更には、他の電子機器、例えば、医療機器、表示装置、等であってもよい。
【００６３】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００６４】
１      画像形成装置
１００  制御部
１０１  モード切替部
１０２  第１検出部
１０３  第２検出部
５０Ａ  検知センサー
５０Ｂ  検知センサー
８０    タイマー
２      室内照明
３      空気調和装置
３０    制御システム
６０    制御装置
【図１】
2014123928.tif 000003
【図２】
2014123928.tif 000004
【図３】
2014123928.tif 000005
【図４】
2014123928.tif 000006
【図５】
2014123928.tif 000007
【図６】
2014123928.tif 000008